(57)【要約】【課題】  高さ寸法を必要とされる高さ制限内に抑えつつ立上げミラーの取付けの信頼性を向上させることができる光ピックアップを提供する。【解決手段】  本発明による光ピックアップは、対物レンズ２を保持するための対物レンズホルダ１を複数本のサスペンションワイヤ１１で揺動可能に支持しているダンパベース１０と、対物レンズホルダに装着された複数のコイルとの間で磁気回路を形成するために複数の永久磁石１６の保持部を持つヨーク１５とを含む対物レンズ駆動装置１００を光学ベース２１０に組み込んで成る。ヨークは、底面部１５−０とこの底面部におけるダンパベース寄りの端部において立上げられた第１の立上げ部１５−１を有するとともに、この第１の立上げ部の根元から底面部を経て第１の立上げ部とは反対側の端部に向かう第１の開口１５−０ａを有する。光学ベースには、第１の立上げ部の根元側から第１の開口内に進入するように突出部２１０−２を設けるとともに、この突出部の先端に立上げミラー２３０の取付け部２１０−２ａを設けた。【選択図】      図７
2006065971.tif 000002
【特許請求の範囲】
【請求項１】
対物レンズを保持するための対物レンズホルダと、前記対物レンズホルダを複数本のサスペンションワイヤで揺動可能に支持するためのダンパベースと、前記対物レンズホルダに装着された複数のコイルとの間で磁気回路を形成するために複数の永久磁石の保持部及び前記対物レンズホルダへ挿入されるヨーク片を持つヨークとを含む対物レンズ駆動装置を光学ベースに組み込んで成り、発光部側からのレーザ光を反射させて前記対物レンズを通して光ディスクに入射させる機能を有する立上げミラーを備えた光ピックアップにおいて、
前記ヨークは、底面部と該底面部における前記ダンパベース寄りの端部において立上げられた第１の立上げ部を有するとともに、該第１の立上げ部の根元から前記底面部を経て前記第１の立上げ部とは反対側の端部に向かう第１の開口を有し、
前記光学ベースには、前記第１の立上げ部の根元側から前記第１の開口内に進入するように突出部を設けるとともに、該突出部の先端に前記立上げミラーの取付け部を設けたことを特徴とする光ピックアップ。
【請求項２】
前記光学ベースは、前記ダンパベースの下面側に対応する領域に台座部を有し、該台座部から前記突出部が延びていることを特徴とする請求項１に記載の光ピックアップ。
【請求項３】
前記取付け部は傾斜面を有し、前記立上げミラーはその裏面側を前記傾斜面に接着して取り付けられていることを特徴とする請求項１又は２に記載の光ピックアップ。
【請求項４】
前記対物レンズ駆動装置は、前記ヨークの下面と前記突出部の下面とが実質上面一になるように前記光学ベースに組み込まれていることを特徴とする請求項１〜３のいずれかに記載の光ピックアップ。
【請求項５】
前記ヨークは更に、前記底面部における前記反対側の端部において立上げられた第２の立上げ部を有し、該第２の立上げ部には少なくとも前記発光部側からのレーザ光を前記立上げミラーに入射させるための第２の開口が形成されていることを特徴とする請求項１〜４のいずれかに記載の光ピックアップ。
【請求項６】
前記ヨークは、前記第１の立上げ部の上端から更に前記ダンパベースの上面側に向けて水平に延びる延在部を有し、該延在部において前記ダンパベースとの一体化が行われていることを特徴とする請求項１〜５のいずれかに記載の光ピックアップ。
【請求項７】
前記ヨークは更に、前記第１の立上げ部と前記第２の立上げ部との間の前記底面部において立上げられた前記ヨーク片を有し、前記第１の立上げ部及び前記第２の立上げ部の内面側にそれぞれ、前記永久磁石が取り付けられていることを特徴とする請求項５または６に記載の光ピックアップ。
【請求項８】
当該光ピックアップは、光の波長の異なる複数種類の光ディスクのいずれに対しても記録・再生可能な複数波長対応光ピックアップであることを特徴とする請求項１〜７のいずれかに記載の光ピックアップ。
【発明の詳細な説明】
【技術分野】
【０００１】
本発明は、光ディスクドライブの光ピックアップに関する。
【背景技術】
【０００２】
光ディスクドライブは、光ディスク（ＣＤ、ＣＤ−ＲＯＭ、ＣＤ−Ｒ／ＲＷ、ＤＶＤ−ＲＯＭ、ＤＶＤ±Ｒ／ＲＷ、Ｂｌｕ−ｌａｙ、ＨＤ  ＤＶＤ等）に記録された情報を読み出したり、あるいは情報を書き込んだりするための装置である。この種の光ディスクドライブは、光ディスクからの情報の読み出し、あるいは光ディスクへの情報の書込みを実現するため、光ディスクに対してレーザ光を照射し、またその反射光を検出するための光ピックアップを備えている。
【０００３】
一方、周知のように、ＤＶＤ装置においては、ディジタル・ヴァーサタイル・ディスク（ＤＶＤ）とコンパクト・ディスク（ＣＤ）とのいずれに対しても記録・再生可能にするために特別の光ピックアップを備えた光ディスクドライブを搭載したものが存在している。そのような特別の光ピックアップは、ＤＶＤ用の短波長レーザ光（波長約６５０ｎｍ）とＣＤ用の長波長レーザ光（波長約７８０ｎｍ）との２種類のレーザ光を使い分けて記録・再生を行うものであり、「２波長対応光ピックアップ」と呼ばれている。
【０００４】
この種の２波長対応光ピックアップの一種として、ＤＶＤ用に短波長レーザ光（第１のレーザ光）を出射するためのＤＶＤ用の第１のレーザダイオードと、ＣＤ用の長波長レーザ光（第２のレーザ光）を出射するためのＣＤ用の第２のレーザダイオードとを備えたものがある（例えば、特許文献１参照）。
【０００５】
しかしながら、第１のレーザダイオードと第２のレーザダイオードとを別々の部品として構成すると、部品点数が多く大型化してしまうという不都合がある。このような問題に対処するために、第１のレーザダイオードと第２のレーザダイオードとを１部品（１チップ）で構成したもの（以下、「１チップ型レーザダイオード」と呼ぶ。）が開発され提案されている（例えば、特許文献２参照）。このような１チップ型レーザダイオードは、小型化が可能である。
【０００６】
しかしながら、この１チップ型レーザダイオードは、第１のレーザ光を出射する第１の発光点と第２のレーザ光を出射する第２の発光点とは所定距離（例えば、１００μｍ）だけ離れているので、第１のレーザ光と第２のレーザ光とは互いに所定距離だけ離間して平行に出射されることになる。したがって、このような離間した２つのレーザ光の１つを光ディスクに照射した場合には、種々の問題が起こる。そのため、何らかの光軸一致手段を使用することによって、第１のレーザ光と第２のレーザ光とを同一の光軸上に導くことが好ましい。
【０００７】
このような問題点を解決した２波長レーザモジュールが提案されている（例えば、特許文献３参照）。この提案された２波長レーザモジュールは、第１の波長を持つ第１のレーザ光を出射する第１のレーザ光源と、第１の波長と異なる第２の波長を持つ第２のレーザ光を出射する第２のレーザ光源と、第１のレーザ光又は第２のレーザ光を受け、同一の光軸上へレーザ光を出射する光軸一致手段とを備え、第１のレーザ光源と第２のレーザ光源と光軸一致手段とを１つのパッケージ内に収容している。
【０００８】
また、上記１チップ型レーザダイオードでは、離間した２つのレーザ光を光ディスクに照射した場合、そこで反射した戻り光（ディスク反射光）もまた互いに光軸がずれた状態で反射する（戻ってくる）ことになる。したがって、このままの状態では、光検出器において、１つの受光位置でそれらディスク反射光を受光することができない。この問題を解決した光ピックアップも提案されている（例えば、特許文献４参照）。この提案された光ピックアップは、互いに異なる第１および第２の波長を持つ第１および第２のレーザ光を、それぞれ互いに所定距離だけ離れた第１および第２の発光点から平行に出射する２波長１パッケージレーザダイオードと、第１および第２のレーザ光を光ディスク側へ導くとともに、光ディスク側から入射する光軸のずれた第１および第２の戻り光を透過する光学系と、この光学系を透過した第１および第２の戻り光を、それらの光軸が光検出器の１つの受光位置で一致するように、光検出器へ導く光軸合わせ素子とを備えている。
【０００９】
いずれにしても、この種の光ディスクドライブは、高さサイズの小さい所謂、薄型（スリム型、又はウルトラスリム型）にされる傾向にあり、そのために光ピックアップの主要部を構成する光ピックアップアクチュエータも薄型化することが要求されている。
【００１０】
一般に、光ピックアップは、レーザビームを出射するレーザ光源と、この出射されたレーザビームを光ディスクへ導くとともに、その反射光を光検出器へ導く光学系とを備えている。そして、この光学系には、光ディスクに対向するように配置される対物レンズが含まれている。
【００１１】
光ピックアップに用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御される必要がある。また、最近は、記録密度の向上に伴い、光ディスクの反りによる影響を除去又は抑制する必要性が高まっており、対物レンズは、チルティング制御される必要もある。
【００１２】
上記光ピックアップアクチュエータは、フォーカシング制御、トラッキング制御及びチルティング制御を可能にするための装置であり、対物レンズ駆動装置とも呼ばれる。対物レンズ駆動装置は、対物レンズを保持する対物レンズホルダを、複数のサスペンションワイヤによってダンパベースで弾性支持している。
【００１３】
ところで、対物レンズ駆動装置は、「対称構造のもの」と「非対称構造のもの」とに分類される。ここで、対称構造の対物レンズ駆動装置とは、対物レンズを中心としてコイルやマグネットを含む磁気回路が対称に配置されるものをいう。一方、非対称構造の対物レンズ駆動装置とは、対物レンズに対してコイルやマグネットを含む磁気回路が非対称に配置されるものをいう。
【００１４】
対称構造の対物レンズ駆動装置では、通常、対物レンズホルダに１つのフォーカシングコイルを巻回し、対物レンズホルダの側面にトラッキングコイル及びチルティングコイルを貼り付け、これらのコイルを磁気回路のギャップ内に部分的に位置させている。このような構成において、各コイルに流れる電流を制御することで、従来の対称構造の対物レンズ駆動装置は、対物レンズの位置及び傾きを微調整することができる（例えば、特許文献５参照。）。
【００１５】
従来の対称構造の対物レンズ駆動装置においては、複数のサスペンションワイヤは、非駆動状態において水平になるように設けられている。対物レンズ駆動装置は、対物レンズを保持する対物レンズホルダを含む可動部分とダンパベースを含む固定部分とに分けられる。可動部分は複数のサスペンションワイヤによってダンパベースで支持される。複数のサスペンションワイヤは、ダンパベースと対物レンズホルダとの間で水平面と平行になるように設けられている。
【００１６】
図１０を参照して、従来の対物レンズ駆動装置１００Ａについて説明する。図１０は従来の対物レンズ駆動装置１００Ａの斜視図である。
【００１７】
対物レンズ駆動装置１００Ａは、略直方体の形状をしている対物レンズホルダ１Ａを備える。対物レンズホルダ１Ａは、中央に対物レンズ２を装着するための貫通孔によるレンズ装着部を有する。対物レンズホルダ１Ａは、四隅にチルティングコイル４およびフォーカシングコイル３を収容するための４つの主開口を持つ。これら４つの主開口は、ヨーク１５Ａの４つのヨーク片１５−５を露出するためのものでもある。また、対物レンズホルダ１Ａのレンズ装着部のトラッキング方向Ｔｒの両側には、補助マグネット１６Ａを収容するための２つの補助開口を持つ。
【００１８】
対物レンズホルダ１Ａの４つの外側壁のうち、トラッキング方向Ｔｒ、つまり幅方向に平行な２つの外側壁には上記主開口に対応する箇所にそれぞれトラッキングコイル５が取り付けられている。
【００１９】
対物レンズホルダ１Ａは、タンジェンシャル方向Ｔｇに延在する４本のサスペンションワイヤ１１によりダンパベース１０で支持される。換言すれば、４本のサスペンションワイヤ１１は、タンジェンシャル方向Ｔｇおよびトラッキング方向Ｔｒによって規定される水平面に沿って水平に設けられている。ダンパベース１０におけるタンジェンシャル方向Ｔｇに平行な２つの側壁にはそれぞれ、２本のサスペンションワイヤ１１の一端を支持するための支持部１０−１が形成されている。各サスペンションワイヤ１０−１の一端は支持部１０−１を貫通し、突き抜けた状態で固着される。この支持部１０−１の内側に２本のリードワイヤ１２（１本のみ図示）の一端が取り付けられている。ダンパベース１０は、支持部１０−１からタンジェンシャル方向Ｔｇに離間した対物レンズホルダ１Ａ側にダンパ部１０−２を有する。ダンパ部１０−２は、フォーカシング方向Ｆ、つまり上下方向（垂直方向）の両端にＵ字形状の溝１０−２ａを持ち、この溝１０−２ａにはシリコーンゲル等のダンピング材（図示せず）が充填される。
【００２０】
一方、対物レンズホルダ１Ａにおけるタンジェンシャル方向Ｔｇに平行な２つの側壁には、それぞれ、２本のサスペンションワイヤ１１の他端を支持するための支持部１Ａ−５が形成されている。各サスペンションワイヤ１１は支持部１Ａ−５を貫通し、突き抜けた状態で固着される。
【００２１】
周知のように、これら４本のサスペンションワイヤ１１および２本のリードワイヤ１２は、上記の各種コイルと外部回路、つまり対物レンズ駆動装置１００Ａのための駆動回路とを電気的に接続するための配線としても利用される。
【００２２】
対物レンズホルダ１Ａの下側には、上記の各種コイルとの間で磁気回路を形成するためのヨーク１５Ａと４つの主マグネット１６と２つの補助マグネット１６Ａとの組合わせ体が配置される。４つの主マグネット１６は、ヨーク１５Ａのタンジェンシャル方向Ｔｇの両端部に４つのトラキングコイル５と対向するように取り付けられている。２つの補助マグネット１６Ａは、上述したようにレンズ装着部のトラッキング方向Ｔｒの両側で、かつ２つのヨーク片１５−５の間に位置するようにヨーク１５Ａに取り付けられる。
【００２３】
従来の対物レンズ駆動装置１００Ａにおいては、４本のサスペンションワイヤ１１は、非駆動状態において、水平になるように設けられ（アセンブリされ）ている。尚、「非駆動状態」とは、上記各種コイル３，４，５のいずれにも電流が流されておらず、対物レンズホルダ１Ａを含む可動部分（対物レンズホルダアセンブリ）が自重で釣り合っている状態をいう。換言すれば、４本のサスペンションワイヤ１１は、非駆動状態において、タンジェンシャル方向Ｔｇに延在している。
【００２４】
なお、図１０には金属製カバーの一部を２０Ａで示している。
【００２５】
次に、図１１〜図１３を参照してダンパベース１０とヨーク１５Ａとの関係について説明する。図１１はヨーク１５Ａの斜視図である。図１２は図１０に示された対物レンズ駆動装置１００Ａを長手方向の中心線に沿った面で破断した断面図であり、図１３は図１２のように破断したものを斜め上方から見た斜視図である。
【００２６】
図１０において、ヨーク１５Ａは、底面部１５−６と、底面部１５−６のタンジェンシャル方向の両側にそれぞれ２つずつ形成された合計４つのヨーク片１５−５と、ダンパベース１０を保持するために底面部１５−６のタンジェンシャル方向の一端側に形成された保持部１５−７と、底面部１５−６の保持部１５−７寄りに形成された第１の立上げ部１５−８と、底面部１５−６のタンジェンシャル方向の他端側に形成された第２の立上げ部１５−９とから成る。ヨーク片１５−５、第１の立上げ部１５−８、第２の立上げ部１５−９は、底面部１５−６に切れ目を入れて上方に折り曲げを行うことで形成される。特に、底面部１５−６には開口１５−６ａが形成され、この開口１５−６ａの途中部分で第２の立上げ部１５−９の折り曲げを行うことで、第２の立上げ部１５−９の立ち上がり部分に開口１５−９ａができるようにしている。この開口１５−９ａは、後述するレーザ光の通過を可能にするためのものである。
【００２７】
図１２、図１３において、ダンパベース１０は、そこに設けられた貫通孔１０ａを通して上部側から保持部１５−７に形成されたねじ孔１５−７ａ１にねじＳｃ１を螺入することでヨーク１５Ａと一体化される。対物レンズ駆動装置１００Ａは、一部のみを図示した光学ベース２１０Ａに組み付けられる。この組み付けは、ヨーク１５Ａの一部、例えば両側の２つのヨーク片１５−５の間の部分を光学ベースに接着することで行われる。
【００２８】
一方、対物レンズ２の下方には立上げミラーＭ１が設置される。光ディスク（図示せず）に対するデータ書込み動作の場合、立上げミラーＭ１は開口１５−９ａを通して入射してきたレーザ光を反射させて対物レンズ２を通して図示しない光ディスクに入射させる。データ再生動作の場合、立上げミラーＭ１は光ディスクに入射して反射してきたレーザ光を開口１５−９ａを通して図示しない光学系に戻す。
【００２９】
立上げミラーＭ１は、光学ベース２１０Ａに設けられた突出部２１０−１の先端に接着剤等により固定される。立上げミラーＭ１は、光ピックアップの製造工程上、光学ベース２１０Ａ側に設ける必要がある。このため、光学ベース２１０Ａに、開口１５−９ａを通して開口１５−６ａに進入する突出部２１０Ａ−１を設け、その先端部に立上げミラーＭ１の下部側の縁部を接着するようにしている。このようにすることにより、対物レンズ駆動装置１００Ａの底面、つまりヨーク１５Ａの底面と、光学ベース２１０Ａの底面とを面一にして光ピックアップアクチュエータの薄型化を実現するようにしている。
【００３０】
しかしながら、このような立上げミラーＭ１の取付け構造では、立上げミラーＭ１の下部側の縁部でしか接着を行うことができず、立上げミラーＭ１と突出部２１０Ａ−１との接着面積を大きく取ることができないために、立上げミラーＭ１の取付けが不安定にならざるを得ない。
【００３１】
このような不安定性を解消するために、光学ベース２１０Ａの一部を突出部２１０Ａ−１とは反対側、つまりヨーク１５Ａの保持部１５−７及び底面部１５−６の底面に沿って対物レンズ２の下方まで延ばし、この延長部の先端部に立上げミラーＭ１の裏面側を接着することが考えられる。しかし、このようにすると、ヨーク１５Ａの底面と、光学ベース２１０Ａの底面とを面一にすることができず、ヨーク１５Ａの保持部１５−７及び底面部１５−６の厚さ分だけ光ピックアップアクチュエータの厚さが大きくなってしまう。
【００３２】
図１４は、光学ベース２１０Ａの外形を示し、突出部２１０Ａ−１に立上げミラーＭ１が取り付けられている。光学ベース２１０Ａは対物レンズ駆動装置１００Ａを受入れるための中空部を有する。図示の状態にて中空部に対物レンズ駆動装置１００Ａの主要部が嵌め込まれ、ヨーク１５Ａの一部が中空部の両側の縁部において接着される。
【００３３】
【特許文献１】特開２００３−２７２２２０号公報
【特許文献２】特開平１１−１４９６５２号公報
【特許文献３】特開２００１−２８４７４０号公報
【特許文献４】特開２００２−２８８８７０号公報
【特許文献５】特開２００１−９３１７７号公報
【発明の開示】
【発明が解決しようとする課題】
【００３４】
前述したように、光ピックアップ自体が薄型（スリム型、又はウルトラスリム型）にされる傾向にある。更に、２波長対応光ピックアップのように、１つの光ピックアップで多波長を扱う場合もある。このような場合でも、光ピックアップでは、その高さ制限内に対物レンズ駆動装置を納める必要がある。このような必要性を満たすために、従来の対称構造の対物レンズ駆動装置では、立上げミラーＭ１の取付けが不安定で信頼性に乏しい構造を採用せざるを得ないという問題点があった。
【００３５】
そこで、本発明の課題は、必要とされる高さ制限内に抑えつつ立上げミラーの取付けの信頼性を向上させることができる光ピックアップを提供することにある。
【課題を解決するための手段】
【００３６】
本発明による光ピックアップは、対物レンズ（２）を保持するための対物レンズホルダ（１）と、前記対物レンズホルダを複数本のサスペンションワイヤ（１１）で揺動可能に支持するためのダンパベース（１０）と、前記対物レンズホルダに装着された複数のコイル（３、４、５）との間で磁気回路を形成するために複数の永久磁石（１６）の保持部及び前記対物レンズホルダへ挿入されるヨーク片（１５−３）を持つヨーク（１５）とを含む対物レンズ駆動装置（１００）を光学ベース（２１０）に組み込んで成り、発光部側からのレーザ光を反射させて前記対物レンズを通して光ディスクに入射させる機能を有する立上げミラー（２３０）を備えた光ピックアップにおいて、前記ヨークは、底面部（１５−０）と該底面部における前記ダンパベース寄りの端部において立上げられた第１の立上げ部（１５−１）を有するとともに、該第１の立上げ部の根元から前記底面部を経て前記第１の立上げ部とは反対側の端部に向かう第１の開口（１５−０ａ）を有し、前記光学ベースには、前記第１の立上げ部の根元側から前記第１の開口内に進入するように突出部（２１０−２）を設けるとともに、該突出部の先端に前記立上げミラーの取付け部（２１０−２ａ）を設けたことを特徴とする。
【００３７】
本発明による光ピックアップにおいては、前記光学ベースは、前記ダンパベースの下面側に対応する領域に台座部（２１０−１）を有し、該台座部から前記突出部が延びている。
【００３８】
本発明による光ピックアップにおいてはまた、前記取付け部は傾斜面を有し、前記立上げミラーはその裏面側を前記傾斜面に接着して取り付けられている。
【００３９】
本発明による光ピックアップにおいては更に、前記対物レンズ駆動装置は、前記ヨークの下面と前記突出部の下面とが実質上面一になるように前記光学ベースに組み込まれている。
【００４０】
本発明による光ピックアップにおいては、前記ヨークが更に、前記底面部における前記反対側の端部において立上げられた第２の立上げ部（１５−２）を有し、該第２の立上げ部には少なくとも前記発光部側からのレーザ光を前記立上げミラーに入射させるための第２の開口（１５−２ａ）が形成されている。
【００４１】
本発明による光ピックアップにおいては、前記ヨークは、前記第１の立上げ部の上端から更に前記ダンパベースの上面側に向けて水平に延びる延在部（１５−４）を有し、該延在部において前記ダンパベースとの一体化が行われている。
【００４２】
本発明による光ピックアップにおいては、前記ヨークが更に、前記第１の立上げ部と前記第２の立上げ部との間の前記底面部において立上げられた前記ヨーク片を有し、前記第１の立上げ部及び前記第２の立上げ部の内面側にそれぞれ、前記永久磁石が取り付けられている。
【００４３】
本発明による光ピックアップは、光の波長の異なる複数種類の光ディスクのいずれに対しても記録・再生可能な複数波長対応光ピックアップである。
【００４４】
なお、上記括弧内の参照符号は、単に本発明の理解を容易にするために付したものであって、何ら本発明を限定するものではない。
【発明の効果】
【００４５】
本発明による光ピックアップは、立上げミラーの取付け部をヨークと重ならないようにしてダンパベース側から突出させることができるようにしたことにより、光ピックアップの高さ寸法を大きくすることなく、立上げミラーを確実に取り付けることができ、立上げミラー取付けの信頼性を向上させることができる。
【発明を実施するための最良の形態】
【００４６】
以下、図面を参照して本発明の実施の形態について詳細に説明する。
【００４７】
図１は、本発明の一実施の形態に係る対物レンズ駆動装置１００の斜視図であって、図１０に示された金属製のトップカバー２０Ａを取り外した状態で示してある。図２は、図１に示された対物レンズ駆動装置１００を裏面側から見た斜視図である。
【００４８】
図１に示すように、対物レンズ駆動装置１００は、対物レンズホルダ１を備える。対物レンズホルダ１は、中央に対物レンズ２を装着するための貫通孔によるレンズ装着部を有する。対物レンズホルダ１のレンズ装着部のトラッキング方向Ｔｒの両側には、後述するチルティングコイルおよびフォーカシングコイル３を巻き回すための一対の主巻枠部が設けられている。
【００４９】
この主巻枠部はまた、その上側の開口がヨークの一部（後述する）を露出させるための開口となる。対物レンズホルダ１の４つの外側壁のうち、トラッキング方向Ｔｒ、つまり幅方向に平行な２つの外側壁には上記主巻枠部に対応する箇所にそれぞれ、トラッキングコイル５を巻き回すための副巻枠部１−３が設けられている。
【００５０】
対物レンズホルダ１は、本実施の形態では、４本のサスペンションワイヤ１１によりダンパベース１０で支持される。つまり、ダンパベース１０におけるタンジェンシャル方向Ｔｇに平行な２つの側壁にはそれぞれ、２本のサスペンションワイヤ１１の一端を支持するための支持部１０−１が形成されている。各サスペンションワイヤ１１の一端は支持部１０−１を貫通し、突き抜けた状態で固着される。この支持部１０−１の内側に２本のリードワイヤ１２の一端が取付けられている。ダンパベース１０は、支持部１０−１からタンジェンシャル方向Ｔｇに離間した対物レンズホルダ１側にダンパ部１０−２を有する。ダンパ部１０−２は、フォーカシング方向Ｆの両端にＵ字形状の溝１０−２ａを持ち、この溝１０−２ａにはシリコーンゲル等のダンピング材１３が充填されている。
【００５１】
一方、対物レンズホルダ１におけるタンジェンシャル方向Ｔｇに平行な２つの側壁には、それぞれ、２本のサスペンションワイヤ１１の他端および１本のリードワイヤ１２の他端を支持するための支持部１−５が形成されている。各サスペンションワイヤ１１およびリードワイヤ１２の他端は支持部１−５を貫通し、突き抜けた状態で固着される。
【００５２】
周知のように、これら４本のサスペンションワイヤ１１および２本のリードワイヤ１２は、上記の各種コイルと外部回路、つまり対物レンズ駆動装置１００のための駆動回路とを電気的に接続するための配線としても利用される。対物レンズホルダ１の下側には、上記の各種コイルとの間で磁気回路を形成するためのヨーク１５と４つのマグネット１６との組合わせ体が配置される。
【００５３】
図５をも参照して、ヨーク１５は、対物レンズホルダ１の一方の側壁に形成された２つの副巻枠部１−３に巻き回された２つのトラッキングコイル５と間隔をおいて対向する第１の立上げ部１５−１と、対物レンズホルダ１の他方の側壁に形成された２つの副巻枠部１−３に巻き回された２つのトラッキングコイル５と間隔をおいて対向する第２の立上げ部１５−２とを有する。ヨーク１５はまた、第１の立上げ部１５−１と第２の立上げ部１５−２との間に、２つの第３の立上げ部（ヨーク片）１５−３を有する。２つの第３の立上げ部１５−３はそれぞれ、対物レンズホルダ１の主巻枠部内に挿通するようにされる。なお、第２の立上げ部１５−２には、矢印Ａ（図１）で示されるような、対物レンズホルダ１に装着された対物レンズ２に対するレーザ光の光路を確保するための開口１５−２ａが形成されている。
【００５４】
また、ヨーク１５は、第１の立上げ部１５−１の中央部からタンジェンシャル方向Ｔｇに延在してダンパベース１０の上面を覆う延在部１５−４を有する。
【００５５】
いずれにしても、このようなヨーク１５は板部材により作られ、第１乃至第３の立上げ部１５−１〜１５−３および延在部１５−４は、開口１５−０ａを形成した矩形上の底面部（主面部）１５−０に切れ目を入れたうえで折曲げ加工を行うことにより形成される。特に、開口１５−０ａは第１の立上げ部１５−１の根元の一部及びこの根元から第２の立上げ部１５−２に向けて底面部１５−０に形成されている。そして、第２の立上げ部１５−２については、開口１５−０ａの途中の部分で折り曲げを行うことで開口１５−０ａの一部が開口１５−２ａ（第２の開口）、残りが第１の開口となるようにしている。
【００５６】
延在部１５−４には、その中央部にダンパベース１０との一体化のためにねじを挿通するねじ孔１５−４ａ１が形成されている。また、ねじ孔１５−４ａ１の両側にはダンパベース１０との位置合わせを行うための孔１５−４ａ２が形成されている。
【００５７】
図２、図６を参照して、ヨーク１５とダンパベース１０との一体化構造について説明する。ダンパベース１５の上面には、中央部にねじＳｃを通すための貫通孔１０−５が形成され、ねじＳｃはダンパベース１０の下面側から延在部１５−４のねじ孔１５−４ａ１に向けて螺入される。貫通孔１０−５の径はねじＳｃのねじ軸の径より大きくされている。ダンパベース１５の上面にはまた、延在部１５−４との間の位置合わせのために貫通孔１０−５の両側に２つの突起１０−６が形成されている。つまり、これら２つの突起１０−６は延在部１５−４の２つの孔１５−４ａ２に入り込む。２つの孔１５−４ａ２のうち一方をトラッキング方向に長くしている。これは、２つの突起１０−６の間隔に微小な寸法誤差があっても２つの突起１０−６が２つの孔１５−４ａ２に入り込むことができるようにするためである。ダンパベース１０の下面側中央部には台座部２１０−１の中央部において少し高くなっている部分を受け入れることのできる凹部１０−７が形成されている。
【００５８】
いずれにしても、延在部１５−４の２つの孔１５−４ａ２に２つの突起１０−６が入り込むようにしたうえで、ダンパベース１０の下面側から延在部１５−４のねじ孔１５−４ａ１に向けてねじＳｃを螺入することによりヨーク１５とダンパベース１０とが一体化される。なお、ダンパベース１０は、ヨーク１５に一体化された状態においては、ダンパベース１０の下面がヨーク１５の下面より高い位置にあるように作られている。
【００５９】
次に、４つのマグネット１６のうちの２つは第１の立上げ部１５−１の内面側に取り付けられて２つのトラッキングコイル５に対向し、残りの２つは第２の立上げ部１５−２の内面側に取り付けられて２つのトラッキングコイル５に対向する。
【００６０】
図１に示されるように、フォーカシングコイル３、トラッキングコイル５及びチルティングコイル４の端部は、接続端子６０１、６０２、６０３に接続される。フォーカシングコイル３及びトラッキングコイル５の端部が接続される接続端子６０１、６０２には、さらに、支持部１−５にこの支持部１−５を貫通した状態で固定されるサスペンションワイヤ１１の一端が夫々接続される。一方、チルティングコイル４が接続される接続端子６０３には、リードワイヤ１２が接続される。つまり、リードワイヤ１２は支持部１−５を貫通して固定された後、下方に折り曲げられて対物レンズホルダ１に設けられたチルティングコイル４用の接続端子６０３と接続される。
【００６１】
図１は、コイル３，４及び５が巻き回され、サスペンションワイヤ１１が取り付けられた対物レンズホルダ１に、ヨーク１５及びマグネット１６を組み合わせた状態を示す。なお、マグネット１６は、２極着磁マグネットである。
【００６２】
図１から容易に理解できるように、ヨーク１５とマグネット１６との組合わせが作り出す磁気回路の磁気ギャップ内に、チルティングコイル４、フォーカシングコイル３及びトラッキングコイル５の各々の一部が配置されている。これにより、各コイルに流れる電流に応じて、対物レンズホルダ１は、移動し、また傾動する。即ち、各コイルに流れる電流を制御することにより、チルティング制御、フォーカシング制御及びトラッキング制御を行うことができる。
【００６３】
図３および図４は、図１に図示した対物レンズ駆動装置１００を含む光ピックアップ２００を示す図である。図３は表面側から見た光ピックアップ２００の斜視図である。図４は裏面側から見た光ピックアップ２００の斜視図である。本光ピックアップ２００は、２波長対応型である。
【００６４】
光ピックアップ２００は、光学ベース２１０を有し、この光学ベース２１０に対物レンズ駆動装置１００が組み込まれている。光学ベース２１０は、光ディスクドライブに導入された光ディスクの半径方向（トラッキング方向Ｔｒ）に沿って移動可能にガイドバー（図示せず）に取り付けられている。また、光学ベース２１０には、後述するように、レーザダイオード、光検出器、及び所定の光学系が設置されており、レーザダイオードからのレーザ光が対物レンズ２を通して光ディスクに照射され、その反射光が光検出器に導かれるように構成されている。
【００６５】
図示の光ピックアップ２００は、光学ベース２１０上に搭載された受発光一体型モジュール３００を備えている。受発光一体型モジュール３００は、レーザ発光素子３１０と、光軸補正素子３２０と、偏光ビームスプリッタ３３０と、フロントモニタ３４０と、センサレンズ３５０と、光検出器３６０とを備えている。レーザ発光素子３１０は、金属フレーム３７０上に搭載されている。レーザ発光素子３１０は、第１のレーザダイオードと第２のレーザダイオードとを１部品（１チップ）で構成した１チップ型レーザダイオードである。光軸補正素子３２０は、第１のレーザダイオードから出射される第１のレーザ光の光軸と、第２のレーザダイオードから出射される第２のレーザ光の光軸とを一致させるためのものである。
【００６６】
尚、第１のレーザダイオードは、第１の波長としてＤＶＤ用の波長約６５０ｎｍを持つ第１のレーザ光を出射するレーザダイオードである。第２のレーザダイオードは、第２の波長としてＣＤ用の波長約７８０ｎｍを持つ第２のレーザ光を出射するレーザダイオードである。
【００６７】
受発光一体型モジュール３００と対物レンズ駆動装置１００との間には、コリメータレンズ２２０が光学ベース２１０に取り付けられている。また、対物レンズ２の下方には立上げミラー（全反射型ミラー）２３０（図４）が設けられている。
【００６８】
次に、図３及び図４に図示した２波長対応光ピックアップ２００の動作について説明する。最初に、光ディスクとしてＤＶＤを使用した場合の動作について説明し、その後で、光ディスクとしてＣＤを使用した場合の動作について説明する。
【００６９】
光ディスクがＤＶＤである場合、第１のレーザダイオードのみが動作状態に置かれ、第２のレーザダイオードは非動作状態に置かれる。したがって、第１のレーザダイオードのみが第１のレーザ光を出射している。
【００７０】
ＤＶＤ用の第１のレーザダイオードから出射された第１のレーザ光は、光軸補正素子３２０を通り、ここで第１のレーザ光の光軸が補正される。この光軸補正された第１のレーザ光は、偏光ビームスプリッタ３３０に入射し、そのほとんどは偏光ビームスプリッタ３３０を透過するが一部が反射される。この偏光ビームスプリッタ３３０で反射されたレーザ光はフロントモニタ３４０でモニタされる。偏光ビームスプリッタ３３０を透過したレーザ光は、コリメータレンズ２２０で平行光にされ、立上げミラー２３０を経て対物レンズ２に入射する。この対物レンズ２を透過したレーザ光は、ここで収束されて、光ディスクであるＤＶＤの記録面に照射される（集光される）。
【００７１】
なお、この技術分野で周知のように、２波長対応光ピックアップは、書込みモードと再生モードとのいずれか一方で動作する。書込みモードの場合には、以上の説明で動作が終了する。それに対して、再生モードの場合には、さらに、次の動作が行われる。
【００７２】
この光ディスク（ＤＶＤ）の記録面からの反射光（第１の戻り光）は、対物レンズ２を通過し、立上げミラー２３０で反射され、コリメータレンズ２２０を透過した後、収束光になる。この収束光は、偏光ビームスプリッタ３３０で反射され、センサレンズ３５０を透過した後、光検出器３６０に集光する（で受光される）。
【００７３】
次に、光ディスクがＣＤである場合、第２のレーザダイオードのみが動作状態に置かれ、第１のレーザダイオードは非動作状態に置かれる。したがって、第２のレーザダイオードのみが第２のレーザ光を出射している。
【００７４】
ＣＤ用の第２のレーザダイオードから出射された第２のレーザ光は、光軸補正素子３２０を通り、ここで第２のレーザ光の光軸が補正される。以後の動作は、上述した光ディスクがＤＶＤである場合と同様である。すなわち、この光軸補正された第２のレーザ光は、偏光ビームスプリッタ３３０に入射し、そのほとんどは偏光ビームスプリッタ３３０を透過するが一部が反射される。この偏光ビームスプリッタ３３０で反射されたレーザ光はフロントモニタ３４０でモニタされる。偏光ビームスプリッタ３３０を透過したレーザ光は、コリメータレンズ２２０で平行光にされ、立上げミラー２３０を経て対物レンズ２に入射する。この対物レンズ２を透過したレーザ光は、ここで収束されて、光ディスクであるＣＤの記録面に照射される（集光される）。
【００７５】
この光ディスク（ＣＤ）の記録面からの反射光（第２の戻り光）は、対物レンズ２を通過し、立上げミラー２３０で反射され、コリメータレンズ２２０を透過した後、収束光になる。この収束光は、偏光ビームスプリッタ３３０で反射され、センサレンズ３５０を透過した後、光検出器３６０に集光する（で受光される）。
【００７６】
図７、図８は、それぞれ、対物レンズ駆動装置１００の縦断面図および部分断面斜視図であり、本発明による立上げミラー２３０の取付け構造を分かりやすく示している。図７、図８では、対物レンズ２の近傍を除く対物レンズ駆動装置１００の上面側が金属製のトップカバー２０で覆われている状態を示している。図９は、対物レンズ駆動装置１００を組み込む前の光学ベース２１０の斜視図である。
【００７７】
図５〜図９を参照して、本発明による立上げミラー２３０の取付け構造について詳しく説明する。
【００７８】
光学ベース２１０は、対物レンズ駆動装置１００を組み込むための収容部２１０ａを有する。収容部２１０ａは大部分が表面側から裏面側に抜ける中空空間である。つまり、収容部２１０ａのうち、ダンパベース１０の下面側に対応する領域に台座部２１０−１が形成され、台座部２１０−１には立上げミラー２３０を取り付けるための突出部２１０−２が中空空間に突出するように形成されている。特に、突出部２１０−２は対物レンズ２の直下域まで延び、その先端には立上げミラー２３０を広い面積で受けることのできるくさび形状部２１０−２ａが形成されている。つまり、立上げミラー２３０はその後面がくさび形状部２１０−２ａの傾斜面に接着されることで取り付けられる。突出部２１０−２は、対物レンズ駆動装置１００が光学ベース２１０に組み込まれた時、ヨーク１５の開口１５−０ａに入り込むように形成されている。特に、突出部２１０−２の下面は光学ベース２１０の下面と面一にされ、ヨーク１５の下面とも実質上面一になるようにされる。これにより、光ピックアップの薄型化を実現している。
【００７９】
台座部２１０−１は突出部２１０−２を備えるためのものであり、ダンパベース１０の下面側に当接している必要は無い。これは、対物レンズ駆動装置１００の光学ベース２１０への組付けは、従来と同様、ヨーク１５の一部を光学ベース２１０の収容部２１０ａの両側の縁に接着されることで行われるからである。台座部２１０−１はまた、光学ベース２１０の機械的強度を向上させる機能をも持つ。これは、台座部２１０−１が収容部２１０ａの両側の縁の間に介在していることにより、中空空間の面積が図１４に示された従来の光学ベース２１０Ａにおける中空空間の面積より狭くなっていることによる。台座部２１０−１の中央部には、ねじＳｃの頭部の下面側への突出を許容し得るように、ねじＳｃの頭部より大きな凹部２１０−１ａが形成されている。
【００８０】
対物レンズ駆動装置１００の光学ベース２１０への組付け作業について説明する。図９は、対物レンズ駆動装置１００を光学ベース２１０へ組付ける前の状態を示す。つまり、この状態では、光学ベース２１０における突出部２１０−２のくさび形状部２１０−２ａに立上げミラー２３０が接着剤により取り付けられている。立上げミラー２３０の取付け角度は、光学ベース２１０の主面に対してほぼ４５度の角度となるようにされるが高い精度で行う必要は無い。これは、以下で説明するように、対物レンズ駆動装置１００は光学ベース２１０に対して姿勢を調整したうえで組付けされるからである。
【００８１】
対物レンズ駆動装置１００の組付けに際しては、光学ベース２１０は治具で固定され、対物レンズ駆動装置１００は別の治具で保持される。そして、テスト光を立上げミラー２３０に入射させた状態にて対物レンズ駆動装置１００を光学ベース２１０に組み込み、立上げミラー２３０に入射したテスト光が対物レンズ２の光軸に平行に入射するように対物レンズ駆動装置１００の姿勢を調整（例えばスキュー調整）する。姿勢が決まったらその状態を維持しつつヨーク１５の一部と収容部２１０ａの縁部との間に接着剤を塗布して固化させる。この姿勢調整の過程においてヨーク１５の下面が光学ベース２１０の下面と厳密に面一にならない場合があるが、そのずれは微小であり、ヨーク１５の下面と光学ベース２１０の下面とが実質上面一になっていれば良い。つまり、ヨーク１５の下面と突出部２１０−２の下面とを実質上面一にするのは、光ピックアップの高さ寸法を増加させないためであり、光学ベース２１０の下面に対する微小寸法のずれは問題にならない。
【００８２】
なお、テスト光は、受発光一体型モジュール３００が装着されているのであればそこからのレーザ光を利用することができ、装着前であれば別のビーム光発生源を使用する。
【００８３】
以上説明したように、本形態による光ピックアップは、立上げミラー２３０を取付けるための突出部２１０−２をヨーク１５と重ならないようにしてダンパベース１０の下側からヨーク１５の底面部１５−０の開口１５−０ａ内に進入させることができるようにしている。このことにより、光ピックアップの高さ寸法を大きくすることなく、立上げミラー２３０をくさび形状部２１０−２ａに十分な接着面積を確保したうえで確実に取り付けることができる。その結果、立上げミラー取付けの信頼性を向上させることができる。
【００８４】
本形態においてはまた、突出部２１０−２を、光学ベース２１０の収容部２１０ａに設けた台座部２１０−１に設けるようにしている。その結果、台座部２１０−１が光学ベース２１０の機械的強度を向上させるという効果が得られる。
【００８５】
以上、本発明について一実施の形態に即して説明してきたが、本発明は上記実施の形態に限定されるものではない。例えば、本発明による光ピックアップは、２波長以上の複数波長対応型のものに限らず、１波長単独の光ピックアップにも適用可能であることは言うまでも無い。
【図面の簡単な説明】
【００８６】
【図１】本発明の一実施の形態に係る対物レンズ駆動装置の斜視図である。
【図２】図１に示された対物レンズ駆動装置を裏面側から見た斜視図である。
【図３】図１に示した対物レンズ駆動装置を含む光ピックアップを表面側から見た斜視図である。
【図４】図３に示した光ピックアップを裏面側から見た斜視図である。
【図５】図１に示した対物レンズ駆動装置に用いられるヨークの斜視図である。
【図６】図１に示した対物レンズ駆動装置を構成しているダンパベースの斜視図である。
【図７】図１に示した対物レンズ駆動装置をタンジェンシャル方向の中心線に沿った面で破断した側面断面図である。
【図８】図７のように破断した対物レンズ駆動装置を斜め上方から見た斜視図である。
【図９】図１に示した対物レンズ駆動装置が組み付けられる光学ベースの外観図である。
【図１０】従来の対物レンズ駆動装置を示す斜視図である。
【図１１】図１０に示した対物レンズ駆動装置に用いられるヨークの斜視図である。
【図１２】図１０に示した対物レンズ駆動装置をタンジェンシャル方向の中心線に沿った面で破断した側面断面図である。
【図１３】図１２のように破断した対物レンズ駆動装置を斜め上方から見た斜視図である。
【図１４】図１０に示した対物レンズ駆動装置が組み付けられる光学ベースの外観図である。
【符号の説明】
【００８７】
１        対物レンズホルダ
１−３    副巻枠部
１−５    支持部
２        対物レンズ
３        フォーカシングコイル
４        チルティングコイル
５        トラッキングコイル
１０        ダンパベース
１０−１    支持部
１０−２    ダンパ部
１１        サスペンションワイヤ
１２        リードワイヤ
１３        ダンピング材
１５        ヨーク
１５−１    第１の立上げ部
１５−２    第２の立上げ部
１５−３    第３の立上げ部
１５−４    延在部
１６        マグネット
２０        トップカバー
１００        対物レンズ駆動装置
２００        光ピックアップ
２１０        光学ベース
２１０ａ      収容部
２２０        コリメータレンズ
２３０        立上げミラー
３００        受発光一体型モジュール
【図１】
2006065971.tif 000003
【図２】
2006065971.tif 000004
【図３】
2006065971.tif 000005
【図４】
2006065971.tif 000006
【図５】
2006065971.tif 000007
【図６】
2006065971.tif 000008
【図７】
2006065971.tif 000009
【図８】
2006065971.tif 000010
【図９】
2006065971.tif 000011
【図１０】
2006065971.tif 000012
【図１１】
2006065971.tif 000013
【図１２】
2006065971.tif 000014
【図１３】
2006065971.tif 000015
【図１４】
2006065971.tif 000016